(57)【要約】【課題】歯牙表面を傷つけることなく、かつ短時間で手軽に、歯に付着したタバコのヤニや茶渋等の着色物質を除去でき、歯牙を美しくすることができる歯牙清掃用器具を提供すること。【解決手段】チッ化ケイ素を含有する弾性体を備えることを特徴とする歯牙清掃用器具により達成される。更に、この弾性体が天然ロウ成分を含有することが望ましい。そして、把持部材２の一端に嵌合穴３を設けて、この嵌合穴３に上記弾性体を柱状に形成した清掃部材１を嵌入するとともに、把持部材２の前記一端側を長手方向に円弧状に形成した彎曲部である第１把持部４と、この第１把持部４の厚み方向内面側を把持部材２の長手方向および短手方向に円弧状に形成した凹面部５と、この凹面部５の表面に形成した凹凸と、第１把持部４の厚み方向外面側を前記把持部材２の短手方向に円弧状に形成した凸面部７とを有すると、より望ましい。【選択図】  図１
2006020653.tif 000002
【特許請求の範囲】
【請求項１】
チッ化ケイ素を含有する弾性体を備えることを特徴とする歯牙清掃用器具。
【請求項２】
上記弾性体が、さらに天然ロウ成分を含有する請求項１に記載の歯牙清掃用器具
【請求項３】
上記弾性体を柱状に形成して清掃部材とし、この清掃部材を把持部材の一端に取り付けた歯牙清掃用器具であって、前記把持部材の一端に嵌合穴を設けて、この嵌合穴に前記清掃部材を嵌入するとともに、前記把持部材の少なくとも前記一端側を長手方向に円弧状に形成した彎曲部と、この彎曲部の厚み方向内面側を前記把持部材の長手方向および短手方向に円弧状に形成した凹面部と、この凹面部表面に形成した凹凸と、前記彎曲部の厚み方向外面側を前記短手方向に円弧状に形成した凸面部とを有する請求項１または２に記載の歯牙清掃器具。
【発明の詳細な説明】
【０００１】
【発明の属する技術分野】
本発明は、歯牙清掃用の器具に関し、更に詳しくは、歯牙表面に付着したタバコのヤニ、茶渋等の着色物質も除去可能な歯牙清掃用器具に関する。
【０００２】
【従来の技術】
一般的に歯牙清掃においては、歯ブラシと歯磨剤を用いてのブラッシング清掃が主に行われている。しかしながら歯牙表面に付着したタバコのヤニ、茶渋等の着色物質は歯牙への付着が強固であり、これらを除去することは、通常使用される歯ブラシや歯磨剤では容易ではない。そこで、より強力な清掃効果を有する歯磨剤として、多孔性高分子物質を基剤とし、研磨剤として炭酸カルシウム、シリカ、アルミナ等を含有可能な口腔組成物が提案されている（特許文献１参照）。
【０００３】
さらに着色物質を除去するための手段として、上記歯磨剤以外にも様々な器具が提案されている。たとえば、研磨剤が混入されているゴム質チップが、台座を介して、あるいは直接に、取っ手の先端に取り付けられている歯牙清掃具がある（特許文献２参照）。この器具においては、研磨剤が混入されているゴム質チップに代えて、パルプないし紙材を圧縮成型したパルプ製チップを用いてもよいことも示されている。
【０００４】
また、多角錘状または円錐状である錘体部、及びこの錘体部の底面から伸長した基体部からなる研磨部を有する歯の研磨部材と、これを用いた口腔用化粧用具がある（特許文献３参照）。この研磨部材は、シリコンゴムと高硬度研磨剤（シリカゲル無水ケイ酸）を含有することが好ましいことが示されている。
【０００５】
しかしながら、炭酸カルシウム、シリカ、アルミナ等の無機粉末や他の物質を研磨剤として用いる歯磨剤や器具などは硬度不足で、強固に付着した着色物を除去することは不可能ではないが、非常に多くの時間と労力が要求され、必要時に手軽に歯牙を美しくすることは容易ではない。これらに対し、最も硬度の高いダイヤモンド微粉末を研磨剤として用いれば、比較的容易にヤニ等の除去効果を得ることが可能であるが、ダイヤモンド微粉末は高価であり、通常の歯磨剤や清掃用器具に使用するには経済性に難点がある。
【０００６】
一方、本発明者らが以前見出しているものとして、歯科治療に用いられる各種材料の、表面を研磨して艶を出すための艶出し材に、チッ化ケイ素を含有させているものがある（特許文献４参照。）。また着色物質の除去に効果的な歯磨剤として、チッ化ケイ素を含有する歯磨剤を見出している（特許文献５および特許文献６参照）。チッ化ケイ素はダイヤモンドに次ぐ硬度を有するが、ダイヤモンドよりはるかに安価である。
【０００７】
またチッ化ケイ素をフィラーとして使用し、歯科用組成物に配合させているものや（例えば、特許文献７参照）、歯科用接着剤に含有させているものもある（例えば、特許文献８参照。）。
【０００８】
なお本願出願人が以前提案したものとして、全体が清掃部用キャップ、清掃部、結合部および柄部からなる着色物除去用口腔内清浄器具がある（特許文献９参照）。この器具は、清掃部に加わった力が、結合部内部に設けられた弾性体のクッション強度を超えた場合に、清掃部が結合部の内部に収納される構造である。
【０００９】
【特許文献１】
特開２０００―３５５５２８号公報
【特許文献２】
特開平１１−７６２７１号公報
【特許文献３】
特開平１１−２９０３５５号公報
【特許文献４】
特開平１１−１５５８８２号公報
【特許文献５】
特開２００２−２９３７２４号公報
【特許文献６】
特願２００２−２６２３８１号
【特許文献７】
特開２００１−１３９８４４号公報
【特許文献８】
特開２００２―１２８６２０号公報
【特許文献９】
特開２００２−２８２２８２号公報
【００１０】
【発明が解決しようとする課題】
本発明者らは従来の技術を鑑みて、着色物質なども除去可能な歯牙清掃用器具を改良すべく鋭意研究した結果、本発明を完成した。
【００１１】
すなわち本発明の目的は、歯牙表面を傷つけることなく、かつ短時間で手軽に、歯に付着したタバコのヤニや茶渋等の着色物質を除去でき、歯牙を美しくすることができる歯牙清掃用器具を提供することにある。
【００１２】
【課題を解決するための手段】
上述の目的は、チッ化ケイ素を含有する弾性体を備えることを特徴とする歯牙清掃用器具により達成される。更に、この弾性体が天然ロウ成分を含有することが望ましい。
【００１３】
そして、上記弾性体を柱状に形成して清掃部材とし、この清掃部材を把持部材の一端に取り付けた歯牙清掃用器具であって、前記把持部材の一端に嵌合穴を設けて、この嵌合穴に前記清掃部材を嵌入するとともに、前記把持部材の少なくとも前記一端側を長手方向に円弧状に形成した彎曲部と、この彎曲部の厚み方向内面側を前記把持部材の長手方向および短手方向に円弧状に形成した凹面部と、この凹面部表面に形成した凹凸と、前記彎曲部の厚み方向外面側を前記短手方向に円弧状に形成した凸面部とを有すると、より望ましい。
【００１４】
【発明の実施の形態】
以下、本発明の構成について詳細に説明する。
【００１５】
本発明の歯牙清掃用器具に用いるチッ化ケイ素は、組成式Ｓｉ3Ｎ4で示される無機化合物である。特にα型・β型の結晶質チッ化ケイ素は、ダイヤモンド（モース硬度１０）の次に硬いモース硬度９を有する。従ってチッ化ケイ素は、コンポジットレジンなどの歯科材料、切削工具、軸受けなどの機械部品等に用いられる。なおアルミナ、シリカ等の無機化合物の中には、チッ化ケイ素と同等のモース硬度（ロックウェル硬度、ビッカース硬度も同等である）を有するものがある。これらは歯科材料、切削工具、機械部品等にチッ化ケイ素と同様に用いられるが、破壊靭性はチッ化ケイ素が優れている。例えばＳＥＰＢ法（ＪＩＳＲ１６０７準拠）によれば、チッ化ケイ素の破壊靭性は約６ＭＰａ／ｍ1/2であるが、アルミナは３〜４ＭＰａ／ｍ1/2である。
【００１６】
本発明の歯牙清掃用器具においては、上記チッ化ケイ素は粉末状のものを用いることが好ましい。この粉末形状としては、鋭角を有しない表面が滑らかで曲面から形成されたものが好ましく、特に好適な形状としては、例えば球状粉末が挙げられる。このチッ化ケイ素粉末の平均粒径は、２０μｍ以下が好ましく、０．５μｍ〜１０μｍが特に好ましい。チッ化ケイ素の平均粒径が大きくなると、歯牙表面を傷つける恐れがあるため、平均粒径２０μｍ以下以下のチッ化ケイ素粉末を用いることが好ましく、より好ましくは平均粒径１０μｍ以下である。また微細な凹凸を有する歯牙表面に付着した着色物質は、歯牙から除去することが困難であり、着色物質を効果的に除去するためには、平均粒径０．５μｍ以上のチッ化ケイ素粉末を用いることが好ましい。
【００１７】
なお本発明において平均粒径とは、いわゆるメジアン径（ｄ50）のことである。たとえばレーザー回折散乱法による粒度分布測定装置（たとえばMicrotrac Inc.製７９９７ＳＰＡ型など）を用いて、チッ化ケイ素粉末の体積基準の分布を測定し、累積分布で表したときに累積５０％となる粒径を求めることにより得られる。もちろん、ふるい法、自然沈降法、遠心沈降法、動的光散乱法、顕微鏡法、画像解析法などの他の手法によって測定した粒度分布に拠っても構わない。
【００１８】
本発明の歯牙清掃用器具に用いる弾性体としては、天然ゴム、合成ゴム、合成樹脂などが挙げられる。合成ゴムとしては、アクリロニトリル−ブタジエンゴム、クロロプレンゴム、スチレン−ブタジエンゴム、ブタジエンゴム、イソプレンゴム等のジエン系ゴム；ウレタンゴム、シリコンゴム、ブチルゴム、エチレン−プロピレンゴム、エチレン−酢酸ビニルゴム、クロロスルホン化ポリエチレン、塩素化ポリエチレン、アクリルゴム、エピクロルヒドリンゴム、フッ素ゴム等の非ジエン系ゴム；が挙げられる。また合成樹脂としては、ポリエチレン、ポリ塩化ビニル、ポリスチレン、ポリプロピレン、メタクリル樹脂、ポリカーボネート、ポリアミド、ポリアセタール、フッ素樹脂等の熱可塑性樹脂；ポリビニルアセタール樹脂、尿素樹脂、フェノール樹脂、不飽和ポリエステル樹脂、ポリウレタン、アルキド樹脂、エポキシ樹脂、メラミン樹脂等の熱硬化性樹脂；が挙げられる。これら列挙したなかで、天然ゴム、あるいは合成ゴムのアクリロニトリル−ブタジエンゴム、ウレタンゴムまたはシリコンゴム、あるいは合成樹脂のポリビニルアセタール樹脂、ポリエチレン、ポリプロピレン、ポリアミド、ポリウレタンまたはメラミン樹脂が好ましい。さらにシリコンゴム、ポリウレタンまたはポリビニルアセタール樹脂がより好ましい。
【００１９】
そして、弾性体の硬さは研磨効果や操作性に影響するため、上記弾性体の硬さは、ゴム硬度５０〜９８であることが好ましい。着色物質を効果的に除去し、使いやすくするには、ゴム硬度５０以上が好ましく、逆に弾性体が硬過ぎると、歯牙表面を傷つける恐れがあるため、ゴム硬度９８以下が好ましい。なお、ここでいうゴム硬度とは、ＪＩＳ  Ｋ  ６２５３に準拠したデュロメータＡ型によるショア硬度である。
【００２０】
また上記弾性体は、緻密体でも多孔質体でも良いが、合成樹脂を用いる場合、適度な弾性を付与するために多孔質体が好ましい。そして、この多孔質体構造の弾性体が有する孔の大きさ（気孔径）および孔の割合（気孔率）が望ましい範囲にあれば、さらに好ましい。すなわち多孔質体としたときの弾性体が適度な弾性を有するには、その気孔径が、好ましくは０．１〜３００μｍ、より好ましくは１〜１００μｍであることが望ましい。また気孔率が、好ましくは５〜８０％、より好ましくは１０〜５０％であることが望ましい。
【００２１】
本発明の歯牙清掃用器具においては、上記弾性体に対するチッ化ケイ素の含有量は５〜９０重量％が好ましく、より好ましくは１０〜７０重量％である。すなわち着色物質などの除去効果を充分に得るためには、チッ化ケイ素の含有量は５重量％以上が好ましく、より好ましくは１０重量％以上である。一方チッ化ケイ素の含有量を多くすると弾性体が脆弱になる傾向にあるため、歯牙清掃用器具として好ましい弾性を考慮すると、含有量は９０重量％以下が好ましく、より好ましくは７０重量％以下である。
【００２２】
また上記弾性体には、天然ロウ成分を加えることが可能である。天然ロウ成分を加えると、ロウ成分が歯牙表面の微細な凹凸や傷を埋めるため、歯牙表面を滑らかにする効果が得られる。歯牙表面が滑らかになる結果、新規に着色物質が付着することを予防できる。さらにロウ成分の艶出し効果により、歯牙表面の光沢も増加する。
【００２３】
上記天然ロウ成分としては、植物より抽出して得られるカルナウバロウと、カイガラムシから抽出して得られるセラックが挙げられる。いずれも食品、化粧品及び薬品の光沢化剤として一般に使用されている。カルナウバロウとセラックは、それぞれ単独使用又は併用して、チッ化ケイ素とともに弾性体に加えることができる。いずれも弾性体に加えるときは、粉末を用いるのが好ましい。粉末の大きさは、弾性体へ粉末を均一に分散させるためにチッ化ケイ素と同等のものが好ましい。すなわち、平均粒径２０μｍ以下が好ましく、０．５μｍ〜１０μｍが特に好ましい。
【００２４】
上記弾性体に天然ロウ成分を加える場合、天然ロウ成分の含有量は、１〜３０重量％が好ましく、より好ましくは３〜２０重量％である。すなわち歯牙表面の光沢を充分に得るためには、天然ロウ成分の含有量は１重量％以上が好ましく、より好ましくは３重量％以上である。一方、天然ロウ成分の含有量を多くすると弾性体が脆弱になる傾向にあるため、歯牙清掃用器具として好ましい弾性を考慮すると、含有量は３０重量％以下が好ましく、より好ましくは２０重量％以下である。
【００２５】
上記弾性体には、天然ロウ成分以外にも、所望により無機粉末、香料、色素等の他の成分を含有させることが可能である。無機粉末としては、一般に研磨粒子として使用されている炭酸カルシウム、リン酸カルシウム、アルミナ、シリカ等が挙げられ、着色物質除去効果を補助できる。また香料、色素は、食品、化粧品及び薬品など一般に広く用いられるものでよい。
【００２６】
また、本発明の歯牙清掃用器具における上記弾性体の形状は、円柱状、一端を尖らせた円柱状等任意の形態で良い。また上記弾性体は単独で使用することも可能であるが、適当な形状をした把持部に取り付けて使用してもよい。
【００２７】
例えば、弾性体を円柱状に形成して清掃部材とし、一端に嵌合穴を設けた把持部材の嵌合穴にこの清掃部材を嵌入して使用することができる。この把持部材の好適な形状として、例えば、上記把持部材の少なくとも一端側を長手方向に円弧状に形成して彎曲部とし、この彎曲部の厚み方向内面側を上記把持部材の長手方向および短手方向に円弧状に形成して凹面部とし、上記彎曲部の厚み方向外面側を前記短手方向に円弧状に形成して凸面部とし、さらに上記凹面部表面に凹凸が設けられているものが挙げられる。
【００２８】
上記把持部材の形状として、より好ましくは、上記彎曲部の長手方向中央部が、上記把持部材の短手方向外側に向かって円弧状に形成した幅広部を有することである。さらに好ましくは、上記把持部材の一端側に形成した彎曲部を第１の把持部とするとともに、他端側を上記把持部材の長手方向に円弧状に形成して第２の把持部とし、この第２の把持部を形成する円弧の中心と前記第１の把持部を形成する円弧の中心が、上記把持部材の厚み方向内面側にあることである。また上記第２の把持部の長手方向中央部が、上記把持部材の短手方向内側に向かって円弧状に形成した絞り部を有することもより好ましい。さらに上記凹面部表面の凹凸が、上記把持部材の短手方向に刻まれた複数本の溝により設けられたものであることも好ましい。
【００２９】
本発明の歯牙清掃用器具の製造方法としては、例えば、合成ゴムを使用する場合は、未加硫ゴムにチッ化ケイ素粉末等を練り込み、所定の金型で加硫成形する方法、また、溶融した合成樹脂にチッ化ケイ素粉末等を混合して押出し成形する方法等が挙げられ、多孔質化する方法は、発泡等の通常の方法が適用できる。
【００３０】
【実施例】
以下、本発明を実施例及び比較例を例示することにより具体的に説明するが、本発明はこれら実施例により何ら限定されるものではない。
【００３１】
なお、実施例及び比較例における、評価に用いる歯（ポリッシング対象歯）、歯磨剤の使用方法（ポリッシング操作）、各種評価方法すなわちハンター白度の増加量、光沢度、除去感、表面傷は、以下のようにして行った。
【００３２】
（１）ポリッシング対象の歯の調製
まず牛の抜去歯のエナメル質部分を＃１８０のシリコンカーバイド研磨紙で平坦に研磨する。次にショートピース１００本分のタバコの煙を蒸留水５０ｍｌ中に通過させた抽出液を別途用意する。そして、この抽出液に上記牛の抜去歯を浸漬後、３７℃の恒温槽で１週間保存し、表面に着色物が沈着するように調整したポリッシング対象の歯を得た。
【００３３】
（２）ポリッシング操作
調製した上記歯の表面を実施例及び比較例の歯牙清掃用器具にてポリッシングを行った。試験は男性３人女性２人の計５人で行い、日常の歯ブラシによるブラッシングと同程度の力で、１歯につき２０往復のポリッシング操作を行った。
【００３４】
（３）着色物質除去効果（ハンター白度の増加量、光沢度、除去感）
・ハンター白度の増加量
ポリッシング試験前後の牛歯エナメル質表面のハンター白度を、ミノルタカメラ社製の分光測色計ＣＭ−２００２で測定し、ポリッシングによるハンター白度の増加量を算出した。このハンター白度の増加量をポリッシング効果の目安とした。
・光沢度
ポリッシング試験後の牛歯エナメル質表面の光沢を、村上色彩研究所製の光沢計で入射角６０°にて測定した。
・除去感
ポリッシング試験後の牛歯エナメル質表面を、試験を実施した男女５人が観察し、着色物質が除去できたかどうかを次の基準で官能的に評価した。
○…充分に除去できた  △…ほぼ除去できた  ×…除去できたとはいえない
なおハンター白度の増加量、光沢度、除去感は、試験を実施した男女５人の平均値を代表値とした。
【００３５】
（４）歯牙表面の傷
ポリッシング前後の歯牙表面を、走査型電子顕微鏡写真で観察し、歯牙表面の傷が増えたかどうを次の基準で官能的に評価した。
○…ほとんど傷は増えていない  ×…傷が増えている
なお試験を実施した男女５人の平均を代表とした。
【００３６】
＜実施例１＞
平均粒径１μｍで走査型電子顕微鏡写真では角がなく滑らかな曲面で構成された形状のチッ化ケイ素粉末５０重量部をシリコンゴム５０重量部に練り込み、所定の金型で加硫成形し、直径４ｍｍ、長さ２０ｍｍの円柱状の弾性体からなる歯牙清掃用器具を作製した。この歯牙清掃用器具を用いたポリッシング前後の牛歯表面のハンター白度は、ポリッシング前４４からポリッシング後６５まで上昇し、ハンター白度の増加量は２１であった。また、ポリッシング後の光沢度は４２であった。また着色物質は充分に除去できたと感じ、歯牙表面の傷はほとんど増えなかった。
【００３７】
＜実施例２＞
実施例１で用いたものと同様のチッ化ケイ素粉末３５重量部をホルマリン、反応触媒（硫酸）及び気孔形成剤（澱粉）を配合したポリビニルアルコール水溶液６５重部と混合攪拌後、実施例１と同じ金型に注入し、加温反応させ、チッ化ケイ素粉末含有ポリビニルアセタールスポンジ（ＰＶＡｔスポンジ）からなる適度の弾性を有する歯牙清掃用器具を得た。ポリッシングによるハンター白度の増加量は２０、光沢度は４３であった。また着色物質は充分に除去できたと感じ、歯牙表面の傷はほとんど増えなかった。
【００３８】
＜比較例１＞
実施例１に用いたチッ化ケイ素粉末の代わりに、平均粒径１．５μｍの合成球状シリカ粉末を使用した。それ以外は、実施例１と同様にして歯牙清掃用器具を作製した。ポリッシングによるハンター白度の増加量は１３、ポリッシング後の光沢度は２５であり、共にチッ化ケイ素を用いる場合に比べ劣った。また歯牙表面の傷はほとんど増えなかったが、着色物質は除去できたと感じなかった。
【００３９】
＜比較例２＞
実施例１に用いたチッ化ケイ素粉末の代わりに、平均粒径０．７μｍの合成球状アルミナ粉末を使用した。それ以外は、実施例１と同様にして歯牙清掃用器具を作製した。ポリッシングによるハンター白度の増加量は１５、ポリッシング後の光沢度は２６であり、共にチッ化ケイ素を用いる場合に比べ劣った。また歯牙表面の傷はほとんど増えなかったが、着色物質は除去できたと感じなかった。
【００４０】
＜実施例３＞
実施例１で用いたものと同様のチッ化ケイ素粉末６０重量部及び平均粒径５μｍのカルナウバロウ微粉末５重量部をシリコンゴム３５重量部に練り込み、実施例１と同様な歯牙清掃用器具を作製した。ポリッシングによるハンター白度の増加量は２５、ポリッシング後の光沢度は４８であり、ともにカルナウバロウを含有するほうが好ましかった。また着色物質は充分に除去できたと感じ、歯牙表面の傷はほとんど増えなかった。
【００４１】
上記実施例１〜３および比較例１、２の結果を表１に示す。
【００４２】
【表１】
2006020653.tif 000003
【００４３】
＜実施例４＞
実施例４の歯牙清掃用器具は、実施例１で作製した直径４ｍｍ、長さ２０ｍｍの円柱状の弾性体を清掃部材１とし、この清掃部材１を、ポリプロピレン樹脂を用いて、射出成形して得た把持部材２に取り付けて使用した例である。以下、図面を参照して説明する。なお図１は実施例４の側面図を示したものであり、図２はその正面図を示したものである。
【００４４】
上記把持部材２の一端には嵌合穴３が設けられ、この嵌合穴３に清掃部材１が嵌入されている。把持部材２において嵌合穴３が設けられた一端側は、把持部材２の長手方向に円弧状に形成されて、彎曲部である第１把持部４となっている。この第１把持部４の厚み方向内面側は、把持部材２の長手方向および短手方向に円弧状に形成されて凹面部５となっている。この凹面部５の表面は、把持部材２の短手方向に複数本の溝６が刻まれて凹凸を形成している。また、第１把持部４の厚み方向外面側は、把持部材２の短手方向に円弧状に形成されて凸面部７となっている。さらに、前記第１把持部４の長手方向中央部は、把持部材２の短手方向外側に向かって円弧状に形成されて幅広部８となっている。
【００４５】
一方、上記把持部材２において第１把持部４の他端側は、把持部材２の長手方向に円弧状に形成されて第２把持部９となっている。そして、この第２把持部９の円弧の中心と第１把持部４の円弧の中心は、ともに把持部材２の厚み方向内面側に位置している。さらに、前記第２把持部９の長手方向中央部は、把持部材２の短手方向内側に向かって円弧状に形成されて絞り部１０となっている。
【００４６】
以上の構成による歯牙清掃用器具を、例えば図３に示すように、凹面部５に当てた親指先端付近の腹部と、凸面部７に当てた人差し指第一関節付近の腹部とで、第１把持部４を挟み、さらに絞り部１０に中指第２関節付近を当てて第２把持部を挟むようにして使用した。この持ち方をすると、彎曲部でもある第１把持部４が彎曲していることにより、清掃時に清掃部材１の先端を歯面に当て易くなり、さらに鏡を見たときに手で隠れることがなかった。また親指腹部の膨らみが凹面部５にフィットし、溝６により滑りにくくなり、幅広部８により歯面清掃具の幅方向のぶれも押さえられた。また人差し指第一関節腹部の曲がりが凸面部７にフィットし、さらに曲げた中指第２関節の前後の腹部が絞り部１０にフィットした。このため３本の指先で歯牙清掃用器具をしっかりと持つことができ、把持したときの力加減が容易となり清掃し易かった。
【００４７】
【発明の効果】
以上のように、本発明によれば、歯牙表面を傷つけることなく、かつ短時間で手軽に、歯に付着した、タバコのヤニや茶渋等の着色物質を除去でき、歯牙を美しくすることができる。
【図面の簡単な説明】
【図１】本発明の歯牙清掃用器具の一実施例を示す側面図である。
【図２】本発明の歯牙清掃用器具の一実施例を示す正面図である。
【図３】本発明の歯牙清掃用器具の把持状態の一例を示す説明図である。
【符号の説明】
１  清掃部材
２  把持部材
３  嵌合穴
４  第１把持部（彎曲部）
５  凹面部
６  溝（凹凸）
７  凸面部
８  幅広部
９  第２把持部
１０  絞り部
【図１】
2006020653.tif 000004
【図２】
2006020653.tif 000005
【図３】
2006020653.tif 000006